(57)【要約】【課題】部品点数を増やすことなく、蓄電装置が落下した際にケースの角部が変形して液漏れが生じることを防止する。【解決手段】二次電池（蓄電装置）１０は、開口部を有する四角箱状のケース本体１２と、開口部を塞ぐ蓋体１３とを有するケース１１と、ケース１１内に収容された電極組立体とを有する蓄電装置である。そして、蓋体１３から突出する状態で設けられた電極端子（負極端子２７）は、絶縁プレート（外側絶縁部材２１ｂ）及び金属プレート（端子接続部材２６）が、絶縁プレートが蓋体１３側となる状態で蓋体１３との間に配置された状態に設けられている。外側絶縁部材２１ｂは、蓋体１３の長手方向の端部と対応する端面２１Ｅｆが、ケース１１の短手方向に延びる角部１１ａと４５°を成す仮想平面Ｐ１に対して接する位置より外側に位置するように設けられている。【選択図】図３
2018006106.tif 000002
【特許請求の範囲】
【請求項１】
開口部を有する四角箱状のケース本体と、前記開口部を塞ぐ蓋体とを有するケースと、前記ケース内に収容された電極組立体とを有する蓄電装置であって、
前記蓋体から突出する状態で設けられた電極端子は、絶縁プレート及び金属プレートが、前記絶縁プレートが前記蓋体側となる状態で前記蓋体との間に配置された状態に設けられ、
前記絶縁プレートは、前記蓋体の長手方向の端部と対応する端面が、前記ケースの短手方向に延びる角部と４５°を成す仮想平面に対して接する位置より外側に位置するように設けられていることを特徴とする蓄電装置。
【請求項２】
前記絶縁プレートの前記端面は前記ケース本体の壁面と面一となるように設けられている請求項１に記載の蓄電装置。
【請求項３】
前記金属プレートが前記ケース本体の壁面と面一となるように設けられている請求項１又は請求項２に記載の蓄電装置。
【発明の詳細な説明】
【技術分野】
【０００１】
本発明は、蓄電装置に係り、詳しくは液漏れ防止構造に特徴を有する蓄電装置に関する。
【背景技術】
【０００２】
従来から、電装品で使用される電力を蓄えるための蓄電装置として、リチウムイオン二次電池などの二次電池が、ＥＶ（Electric Vehicle）やＰＨＶ（Plug in Hybrid Vehicle）などの車両に搭載されている。二次電池は、ケースと、ケースに収容されている電極組立体と、ケースの外部に突出しており、それぞれ極性が異なる２つの電極端子と、を有する。
【０００３】
図７（ａ）に示すように、電池（蓄電素子）として、一対の正極側の電極端子部２０Ａと負極側の電極端子部２０Ｂは、それぞれ、接続片３０Ａ，３０Ｂと、下部パッキン４０Ａ，４０Ｂと、上部パッキン５０Ａ，５０Ｂと、連結体６０Ａ，６０Ｂと、電極部６３Ａ，６３Ｂと、が蓋体１００に設けられた構成が開示されている（特許文献１参照）。正負一対の電極端子部２０Ａ，２０Ｂは、蓋体１００に、リベット１０Ａ，１０Ｂによって取り付けられている。一対の電極端子部２０Ａ，２０Ｂは、ほぼ同様の構成である。
【０００４】
正極側の電極端子部２０Ａを構成する部材のうち、接続片３０Ａおよび下部パッキン４０Ａは、蓋体１００の内側面に配されている。接続片３０Ａは、集電体７０Ａの他方の端部（正極板に接続されている側とは逆側の端部）に折り曲げ、打ち抜き等の加工を施すことにより形成されたものであって、図７（ｂ）に示すように、全体として等脚台形の板状に形成されている。この接続片３０Ａは、縦長に、すなわち上底・下底の長さよりも高さが大きく形成され、台形の高さ方向（図７（ｂ）の左右方向）が長手方向となる。
【０００５】
接続片３０Ａと蓋体１００の内側面との間には、下部パッキン４０Ａが挟み込まれている。下部パッキン４０Ａは、絶縁性で、耐熱性，耐蝕性を有し、蓋体１００に密着して電解液の漏れを防止することができるように弾性を有する材料により形成されている。
【先行技術文献】
【特許文献】
【０００６】
【特許文献１】再公表ＷＯ２０１２−１３３７８５号公報
【発明の概要】
【発明が解決しようとする課題】
【０００７】
二次電池の試験で、筐体角部を下にして落下させる落下試験がある。落下試験の際に筐体角部に衝撃が加わり、角部が潰れた場合には、内部の端子が変形し、端子シール部のシール性を損なうことで液漏れが生じる問題がある。落下試験に合格するためには、落下試験を行っても、端子シール部のシール性を損なわず、液漏れが生じないことが必要である。
【０００８】
蓄電装置は、一般に四角箱状のケース（筐体）内に電極組立体と電解液とが収容されており、蓄電装置の体積当たりの容量を大きくするためには、空間を少なくする必要がある。また、蓄電装置として、ケースの内部圧力の上昇に対応して電流を遮断する電流遮断機構を備えたものがある。電流遮断機構を備えた蓄電装置の場合、特に電流遮断機構が設けられた負極側において、ケース内の空間が小さい。そのため、例えば、図８に示すように、蓄電装置２００が、ケースの角部側から地面などの硬い面９０に落下して角部が変形した場合、その角部が電流遮断機構に近い側の場合には、端子シール部のシール性が損なわれて、液漏れが生じる場合がある。
【０００９】
特許文献１は、気密を確実に保持可能にすることを目的としており、上部パッキン５０Ａ、５０Ｂ及び連結体６０Ａ、６０Ｂが、電池の落下時に容器（ケース）の角部を保護することに関しては何ら示唆されていない。
【００１０】
本発明は、前記の問題に鑑みてなされたものであって、その目的は、部品点数を増やすことなく、蓄電装置が落下した際にケースの角部が変形して液漏れが生じることを防止することができる蓄電装置を提供することにある。
【課題を解決するための手段】
【００１１】
上記課題を解決する蓄電装置は、開口部を有する四角箱状のケース本体と、前記開口部を塞ぐ蓋体とを有するケースと、前記ケース内に収容された電極組立体とを有する蓄電装置である。そして、前記蓋体から突出する状態で設けられた電極端子は、絶縁プレート及び金属プレートが、前記絶縁プレートが前記蓋体側となる状態で前記蓋体との間に配置された状態に設けられ、前記絶縁プレートは、前記蓋体の長手方向の端部と対応する部分が、前記ケースの短手方向に延びる角部と４５°を成す仮想平面に対して接する位置より外側に位置するように設けられている。
【００１２】
蓄電装置が電極端子が設けられた蓋体側から落下した場合、蓋体が地面や床面などの衝突面に対して４５°の角度で落下した場合に衝撃が最も大きくなる。そして、蓋体が衝突面に対して直接衝突すると、蓋体の角部に加わった衝撃でケースが変形して、その変形により電極端子のシール部のシール性が、液漏れが生じるほど損なわれることがある。しかし、この発明の蓄電装置は、絶縁プレート及び金属プレートが、絶縁プレートが蓋体側となる状態で蓋体との間に配置された状態に設けられているため、蓄電装置が蓋体側から落下した場合、絶縁プレートが衝突面に衝突する。その結果、ケースの蓋体側が大きな衝撃を受けることが回避される。したがって、部品点数を増やすことなく、蓄電装置が落下した際にケースの角部が変形して液漏れが生じることを防止することができる。もちろん、蓄電装置の落下時に衝突面から受ける衝撃に限らず、ケースの角部側に他の衝撃が加えられた場合でも、その衝撃により、ケースの蓋体が大きな衝撃を受けることが回避され、ケースのシール性を確保して液漏れを防ぐことができる。
【００１３】
前記絶縁プレートは前記ケース本体の壁面と面一となるように延びていてもよい。絶縁プレートは、ケース本体の壁面と面一となるように延びていなくても、蓋体が地面や床面などの衝突面に対して４５°の角度で落下した場合やケースの角部に他の衝撃が加えられた場合に、蓋体に対して４５°の角度で衝撃力が加わることは防止される。しかし、絶縁プレートがケース本体の壁面と面一となるように設けられている構成では、蓋体が衝突面に対して４５°より小さな角度で落下した場合やケースの角部に他の衝撃が加えられた場合でも、最初に絶縁プレートに衝撃力が加わることにより、ケースの蓋体が大きな衝撃を受けることが回避される。
【００１４】
前記金属プレートが前記ケース本体の壁面と面一となるように設けられている。この構成によれば、ケースの角部に衝撃力が加わる場合、衝撃力が絶縁プレートだけでなく金属プレートによっても担われるため、衝撃力によりケースの蓋体に加わる衝撃がより弱くなる。
【発明の効果】
【００１５】
本発明によれば、部品点数を増やすことなく、蓄電装置が落下した際にケースの角部が変形して液漏れが生じることを防止することができる。
【図面の簡単な説明】
【００１６】
【図１】一実施形態の二次電池を示す概略斜視図。
【図２】二次電池の電流遮断機構の部分の縦断面図。
【図３】（ａ）は作用を説明する概略斜視図、（ｂ），（ｃ）は作用を説明する模式部分断面図。
【図４】作用を説明する概略斜視図。
【図５】（ａ），（ｂ）は別の実施形態の二次電池を示す部分断面図。
【図６】（ａ），（ｂ）は別の実施形態の二次電池を示す部分断面図。
【図７】（ａ）は従来技術の二次電池の電極端子部を示す断面図、（ｂ）は蓋体に接続片と下部パッキンが取り付けられた状態を示す図。
【図８】落下試験の状態を示す概略斜視図。
【発明を実施するための形態】
【００１７】
以下、本発明を具体化した一実施形態を図１〜図４にしたがって説明する。
図１に示すように、蓄電装置としての二次電池１０はケース１１を備え、ケース１１は、四角箱状のケース本体１２と、このケース本体１２の開口部１２ａ（図２に図示）を塞ぐ矩形平板状の蓋体１３とを有している。ケース１１には電極組立体１４が収容されている。蓋体１３の外面には正極端子構造２０を構成する絶縁プレートとしての外側絶縁部材２１ａ及び負極端子構造２２を構成する絶縁プレートとしての外側絶縁部材２１ｂが配置されている。外側絶縁部材２１ａ，２１ｂはＰＥ、ＰＰ、又はＰＰＳ等の合成樹脂製である。なお、本実施形態の二次電池１０はリチウムイオン電池である。
【００１８】
図１に示すように、正極端子構造２０は、金属プレートとしての端子接続部材２３により電気的に接続された電極端子としての正極端子２４及び正極引出端子２５を有し、絶縁プレートとしての外側絶縁部材２１ａは、正極端子２４及び正極引出端子２５と蓋体１３とを絶縁する。端子接続部材２３はアルミニウム製である。
【００１９】
図１に示すように、負極端子構造２２は、金属プレートとしての端子接続部材２６により電気的に接続された電極端子としての負極端子２７及び負極引出端子２８を有し、絶縁プレートとしての外側絶縁部材２１ｂは、負極端子２７及び負極引出端子２８と蓋体１３とを絶縁する。なお、正極引出端子２５は正極導電部材を介して正極タブ群に電気的に接続されており、負極引出端子２８は負極導電部材２９（図２に図示）を介して負極タブ群１９（図２に図示）に電気的に接続されている。端子接続部材２６は銅製である。
【００２０】
電極組立体１４は、シート状の複数の正極電極とシート状の複数の負極電極とを備え、正極電極は、正極金属箔（本実施形態ではアルミニウム箔）と、その正極金属箔の両面に存在する正極活物質層とを有する。負極電極は、負極金属箔（本実施形態では銅箔）と、その負極金属箔の両面に存在する負極活物質層とを有する。そして、電極組立体１４は、複数の正極電極と複数の負極電極の間にこれらを絶縁するセパレータを介在させて層状とした積層型である。
【００２１】
図２に示すように、二次電池１０は、負極の電極端子である負極引出端子２８に一体の電流遮断機構４０を備える。電流遮断機構４０は、ケース１１の内部に配置されており、ケース１１の内部圧力が所定の設定圧力に達すると、電極組立体１４と、負極引出端子２８とを電気的に接続している通電経路の電流を遮断する。
【００２２】
図２に示すように、負極導電部材２９は、負極タブ群１９に電気的に接続される電極接続部２９ａと、負極引出端子２８に電気的に接続される端子接続部２９ｂとを有し、電極接続部２９ａが端子接続部２９ｂより蓋体１３に近くなるように屈曲形成されている。
【００２３】
電流遮断機構４０は、負極引出端子２８の基部２８ａと、導電板としての負極導電部材２９の端子接続部２９ｂとの間に位置している。詳述すると、負極タブ群１９には、電極組立体１４と、負極端子構造２２とを電気的に接続するための負極導電部材２９が接合されている。この実施形態では、負極引出端子２８の基部２８ａが電流遮断機構４０を介して負極導電部材２９に電気的に接続されるとともに、負極導電部材２９が負極タブ群１９に電気的に接続されることにより、電極組立体１４と、負極引出端子２８との間の通電経路が構成されている。つまり、電流遮断機構４０は、作動していないときには通電経路の一部を構成し、ケース１１の内部に発生したガスの圧力を受けて作動したときに通電経路を遮断する。
【００２４】
図２に示すように、電流遮断機構４０が設けられている側の電極端子である負極引出端子２８はホルダ３０により支持されている。ホルダ３０は絶縁材製（この実施形態では樹脂製（ＰＰＳ製））で、負極引出端子２８の基部２８ａの外側を覆う状態に設けられている。詳述すると、ホルダ３０は、略円筒状で、負極引出端子２８の基部２８ａを収容可能な凹部３０ａを有し、負極引出端子２８の筒部２８ｂが遊挿されるとともに、筒部２８ｂとの間にシール部材３１が設けられている。また、ホルダ３０と負極導電部材２９との間にはシール部材３２が設けられている。
【００２５】
図２に示すように、電流遮断機構４０は、負極導電部材２９と負極引出端子２８の基部２８ａとに接合された接点板４１を有する。接点板４１は、導電性の材料製であり、電極組立体１４に向けて凸となる碗状である。そして、接点板４１は、基部２８ａの凹部を電極組立体１４側から覆っている。接点板４１における基部２８ａの凹部からはみ出している外周部と、基部２８ａの端面とは、溶接により固定されている。
【００２６】
負極導電部材２９は、環状のシール部材３２と当接する面と反対側の面に凹部２９ｃが形成されている。負極導電部材２９は、凹部２９ｃが形成されることにより、接点板４１と当接する部分の厚さが薄く形成されている。また、負極導電部材２９には接点板４１と当接する部分に溝２９ｄが形成されている。
【００２７】
図２に示すように、電流遮断機構４０は、ケース１１の内部圧力を受圧して変形する変形板４２を有する。変形板４２は、弾性材料、例えば金属板で構成されたダイヤフラムであり、端子接続部２９ｂより電極組立体１４に近い位置に配置されている。変形板４２は、円板形状であって凹部２９ｃを電極組立体１４側から覆っている。変形板４２の外周部と端子接続部２９ｂとが変形板４２の外周部の全周にわたって溶接固定されている。変形板４２は、ケース１１内部をケース１１外部に対して気密に隔てている。
【００２８】
変形板４２は、通常状態において蓋体１３側から電極組立体１４側（下方）に向けて凸となっており、この凸部分における負極溶接部分Ｐと対向する箇所には、蓋体１３に向けて突出した突起４２ａを有する。突起４２ａは、溝２９ｄで囲まれた負極溶接部分Ｐと対向している。
【００２９】
負極導電部材２９の端子接続部２９ｂ及び変形板４２より電極組立体１４側には、端子接続部２９ｂ及び変形板４２を覆う絶縁部４３が設けられている。絶縁部４３は、負極タブ群１９と反対側がケース本体１２の内面の近くに位置するように配置されている。
【００３０】
図２に示すように、ホルダ３０と負極導電部材２９とは、変形板４２の外側で固定されている。ホルダ３０は、負極導電部材２９にかしめにより固定されている。例えば、負極導電部材２９に複数の穴が形成され、ホルダ３０にその穴と嵌合可能な突部３０ｂが形成され、穴と突部３０ｂとが嵌合されて固定されている。かしめは、熱かしめにより行われる。負極導電部材２９は、電極接続部２９ａと反対側の端部がケース本体１２の内面との距離が、ホルダ３０とケース本体１２の内面との距離と同じに形成されている。
【００３１】
図１に示すように、二次電池１０は、負極端子構造２２を構成する絶縁プレートとしての外側絶縁部材２１ｂ及び金属プレートとしての端子接続部材２６が、正極端子構造２０を構成する絶縁プレートとしての外側絶縁部材２１ａ及び金属プレートとしての端子接続部材２３と形状が異なる。
【００３２】
詳述すると、正極端子構造２０を構成する外側絶縁部材２１ａ及び端子接続部材２３は、蓋体１３の幅より短い幅の矩形状に形成されるとともに、反負極側の端部も蓋体１３の端部より内側に位置するように形成されている。一方、負極端子構造２２を構成する外側絶縁部材２１ｂ及び端子接続部材２６は、正極側の幅は外側絶縁部材２１ａ及び端子接続部材２３と同じ幅に形成され、反正極側の端部の幅が蓋体１３の幅と同じで、反正極側の端部が蓋体１３の端部と同じ位置となる平面視Ｔ字状に形成されている。
【００３３】
図１及び図２に示すように、蓋体１３から突出する状態で設けられた負極引出端子２８は、外側絶縁部材（絶縁プレート）２１ｂ及び端子接続部材（金属プレート）２６が、外側絶縁部材２１ｂが蓋体１３側となる状態で負極引出端子２８と蓋体１３との間に配置された状態に設けられている。
【００３４】
図３（ｂ）に示すように、外側絶縁部材２１ｂは、蓋体１３の長手方向の端部と対応する端面２１Ｅｆが、ケース１１の短手方向に延びる角部１１ａと４５°を成す仮想平面Ｐ１に対して接する位置より外側（図３（ｂ）の下側）に位置するように設けられている。この実施形態では、外側絶縁部材２１ｂの端面２１Ｅｆはケース本体１２の外面１２ｂと面一となるように設けられている。また、端子接続部材２６も同様に蓋体１３の長手方向の端部と対応する端面２６Ｅｆが、ケース本体１２の外面１２ｂと面一となるように設けられている。即ち、外側絶縁部材２１ｂの端面２１Ｅｆ及び端子接続部材２６の端面２６Ｅｆは、ケース本体１２の壁面と面一となるように設けられている。
【００３５】
次に、前記のように構成された二次電池１０の作用を説明する。
二次電池１０は、電流遮断機構４０を有するため、電極反応が異常に進行してケース１１内の圧力があらかじめ設定された圧力以上になると、変形板４２が蓋体１３へ向かって変形し、突起４２ａが端子接続部２９ｂと接点板４１との負極溶接部分Ｐを破断する。その結果、負極引出端子２８と負極導電部材２９との電気的な接続が遮断され、通電経路の電流が遮断される。
【００３６】
図３（ａ）に示すように、二次電池１０が、電極端子即ち正極端子２４及び負極端子２７が設けられた蓋体１３側から落下した場合、蓋体１３が地面や床面などの衝突面９０に対して４５°の角度で落下した場合に衝撃が最も大きくなる。そして、図３（ｃ）に示すように、蓋体１３が衝突面９０に対して直接衝突すると、蓋体１３の角部、即ちケース１１の角部１１ａに加わった衝撃でケース１１が変形して、その変形により電極端子のシール部のシール性が、液漏れが生じるほど損なわれることがある。
【００３７】
しかし、二次電池１０は、外側絶縁部材（絶縁プレート）２１ｂ及び端子接続部材（金属プレート）２６が、外側絶縁部材２１ｂが蓋体１３側となる状態で蓋体１３との間に配置された状態に設けられているため、二次電池１０が蓋体１３側から落下した場合、外側絶縁部材２１ｂが衝突面９０に衝突する。そのため、図３（ｃ）に示すように、ケース１１の角部１１ａが直接、衝突面９０に衝突する場合と異なり、二次電池１０が衝突面９０に衝突したときの衝撃が外側絶縁部材２１ｂで緩衝される。
【００３８】
そのため、図３（ａ）に示すように、衝突面９０から受ける衝撃が最も大きくなる角度である４５°の角度で衝突面９０に衝突しても、ケース１１が衝突面９０から直接その衝撃を受けるのではなく、端子接続部材２６及び外側絶縁部材２１ｂで衝撃が緩和された後、図４に示すように、衝突面９０に対して側面からの落下に近い状態で衝突する。その結果、ケース１１が衝突面９０から直接受ける衝撃は小さくなり、大きな衝撃を受けることが回避される。したがって、部品点数を増やすことなく、二次電池１０が落下した際にケース１１の角部１１ａが変形して液漏れが生じることを防止することができる。もちろん、二次電池１０の落下時に衝突面９０から受ける衝撃に限らず、ケース１１の角部１１ａ側に他の衝撃が加えられた場合でも、その衝撃により、ケース１１の蓋体１３が大きな衝撃を受けることが回避され、ケース１１のシール性を確保して液漏れを防ぐことができる。
【００３９】
二次電池１０は、負極の電極端子である負極引出端子２８に一体の電流遮断機構４０を備えているため、電流遮断機構４０が設けられた負極側において、ケース１１内の空間が小さい。そのため、二次電池１０が、ケース１１の角部１１ａ側から衝撃を受けた場合、その衝撃が大きいと角部１１ａに加わった衝撃でケース１１が変形して、その変形により負極引出端子２８のシール部材３１のシール性が損なわれて、液漏れが生じる場合がある。しかし、二次電池１０に加わる衝撃が、端子接続部材２６及び外側絶縁部材２１ｂで緩和されるため、ケース１１の角部１１ａ側から大きな衝撃を受けても、液漏れを防ぐことができる。
【００４０】
この実施形態によれば、以下に示す効果を得ることができる。
（１）二次電池（蓄電装置）１０は、開口部１２ａを有する四角箱状のケース本体１２と、開口部１２ａを塞ぐ蓋体１３とを有するケース１１と、ケース１１内に収容された電極組立体１４とを有する蓄電装置である。そして、蓋体１３から突出する状態で設けられた電極端子（負極端子２７）は、絶縁プレート（外側絶縁部材２１ｂ）及び金属プレート（端子接続部材２６）が、絶縁プレートが蓋体１３側となる状態で蓋体１３との間に配置された状態に設けられている。外側絶縁部材２１ｂは、蓋体１３の長手方向の端部と対応する端面２１Ｅｆが、ケース１１の短手方向に延びる角部１１ａと４５°を成す仮想平面Ｐ１に対して接する位置より外側に位置するように設けられている。
【００４１】
この構成によれば、二次電池１０が地面や床面などの衝突面９０に対して蓋体１３側から落下した場合に衝撃が最も大きくなる角度である４５°の角度で落下した場合に、絶縁プレート（外側絶縁部材２１ｂ）が衝突面９０に衝突する。その結果、ケース１１の蓋体１３側が大きな衝撃を受けることが回避される。したがって、部品点数を増やすことなく、二次電池１０が落下した際にケース１１の角部１１ａが変形して液漏れが生じることを防止することができる。もちろん、二次電池１０の落下時に衝突面９０から受ける衝撃に限らず、ケース１１の角部１１ａ側に他の衝撃が加えられた場合でも、その衝撃により、ケース１１の蓋体１３が大きな衝撃を受けることが回避され、ケース１１のシール性を確保して液漏れを防ぐことができる。
【００４２】
（２）絶縁プレート（外側絶縁部材２１ｂ）はケース本体１２の壁面と面一となるように設けられている。絶縁プレートは、ケース本体１２の壁面と面一となるように設けられていなくても、蓋体１３が地面や床面などの衝突面９０に対して４５°の角度で落下した場合やケース１１の角部１１ａに他の衝撃が加えられた場合に、蓋体１３に対して４５°の角度で衝撃力が加わることは防止される。しかし、絶縁プレートがケース本体１２の壁面と面一となるように設けられている構成では、蓋体１３が衝突面９０に対して４５°より小さな角度で落下した場合やケース１１の角部１１ａに他の衝撃が加えられた場合でも、最初に絶縁プレートに衝撃力が加わることにより、ケース１１の蓋体１３が大きな衝撃を受けることが回避される。
【００４３】
（３）金属プレート（端子接続部材２６）がケース本体１２の壁面と面一となるように設けられている。この構成によれば、ケース１１の角部１１ａに衝撃力が加わる場合、衝撃力が絶縁プレート（外側絶縁部材２１ｂ）だけでなく金属プレート（端子接続部材２６）によっても担われるため、衝撃力によりケース１１の蓋体１３に加わる衝撃がより弱くなる。
【００４４】
（４）負極端子構造２２の金属プレート（端子接続部材２６）は銅製である。そのため、アルミニウム製である正極端子構造２０の金属プレート（端子接続部材２３）に比べて強度が高いため、衝撃により変形し難く、ケース１１の蓋体１３が大きな衝撃をより受け難くなる。
【００４５】
（５）二次電池１０は、負極の電極端子である負極引出端子２８に一体の電流遮断機構４０を備えているため、電流遮断機構４０が設けられた負極側において、ケース１１内の空間が小さい。そのため、二次電池１０が、ケース１１の角部１１ａ側から大きな衝撃を受けた場合、角部１１ａが電流遮断機構４０に近い側の場合には、ケース本体１２とホルダ３０とのクリアランスが小さいため、ホルダ３０が力を受けて負極引出端子２８が変形し、端子シール部のシール性が損なわれて、液漏れが生じる場合がある。しかし、ケース１１の角部１１ａ側から加わる衝撃は、絶縁プレート（外側絶縁部材２１ｂ）及び金属プレート（端子接続部材２６）により弱められるため、電流遮断機構４０が設けられていても、ケース１１のシール性を確保して液漏れを防ぐことができる。
【００４６】
実施形態は前記実施形態に限定されるものではなく、例えば、次のように具体化してもよい。
○  絶縁プレート（外側絶縁部材２１ｂ）は、ケース本体１２の壁面と面一となるように設けられている必要はなく、蓋体１３の長手方向の端部と対応する端面２１Ｅｆが、ケース１１の短手方向に延びる角部１１ａと４５°を成す仮想平面Ｐ１に対して接する位置より外側に位置するように設けられていればよい。例えば、図５（ａ）に示すように、外側絶縁部材２１ｂ及び端子接続部材２６は、端面２１Ｅｆ及び端面２６Ｅｆがケース本体１２の外面１２ｂと面一とならずに、外面１２ｂより内側に引っ込んだ状態に設けてもよい。
【００４７】
○  図５（ｂ）に示すように、外側絶縁部材２１ｂの端面２１Ｅｆが、ケース本体１２の外面１２ｂと面一に設けられ、端子接続部材２６の端面２６Ｅｆが外側絶縁部材２１ｂの端面２１Ｅｆより引っ込んだ状態に設けられてもよい。
【００４８】
○  外側絶縁部材２１ｂの端面２１Ｅｆ及び端子接続部材２６の端面２６Ｅｆが、ケース本体１２の外面１２ｂより引っ込んだ状態に設けられ、かつ端子接続部材２６の端面２６Ｅｆが外側絶縁部材２１ｂの端面２１Ｅｆより引っ込んだ状態に設けられてもよい。
【００４９】
○  図６（ａ）に示すように、外側絶縁部材２１ｂは、その端部がケース本体１２の外面１２ｂから突出し、かつ突出した部分が外面１２ｂに接するように屈曲した形状に設けられてもよい。
【００５０】
○  図６（ｂ）に示すように、外側絶縁部材２１ｂは、その端部がケース本体１２の外面１２ｂから突出した形状に設けられてもよい。
○  ホルダ３０と導電板（負極導電部材２９）とをかしめにより固定する場合、かしめは熱かしめでなくてもよい。
【００５１】
○  ホルダ３０と導電板（負極導電部材２９）との固定はかしめに限らない。例えば、接着剤で固定してもよい。
○  電極組立体１４は積層型に限らず、長尺帯状の正極電極と、長尺帯状のセパレータと、長尺帯状の負極電極とを備える巻回型であってもよい。
【００５２】
○  二次電池１０は、電流遮断機構４０を有さない二次電池であってもよい。電流遮断機構４０を有さない二次電池１０の場合、二次電池１０が落下した際にケースの角部が変形する確率は、負極側と正極側とで同じとなる。その場合、負極側及び正極側の電極端子は、絶縁プレート及び金属プレートが、前記絶縁プレートが前記蓋体側となる状態で前記蓋体との間に配置された状態に設けられる。そして、各絶縁プレートは、前記蓋体の長手方向の端部と対応する端面が、前記ケースの短手方向に延びる角部と４５°を成す仮想平面に対して接する位置より外側に位置するように設けられる。
【００５３】
○  蓄電装置は、例えばキャパシタなど、二次電池１０以外の蓄電装置であってもよい。
○  正極電極及び負極電極は、金属箔の片面に活物質層が存在する構造でもよい。
【００５４】
○  二次電池１０は、リチウムイオン二次電池以外の他の二次電池であってもよい。
以下の技術的思想（発明）は前記実施形態から把握できる。
（１）請求項１〜請求項３のいずれか一項に記載の発明において、前記蓄電装置は電流遮断機構を有し、前記電極端子は、負極端子である。
【００５５】
（２）請求項１〜請求項３のいずれか一項に記載の発明において、前記電極端子は、正極端子及び負極端子である。
【符号の説明】
【００５６】
Ｐ１…仮想平面、１０…蓄電装置としての二次電池、１１…ケース、１１ａ…角部、１２…ケース本体、１２ａ…開口部、１２ｂ…ケース本体の壁面としての外面、１３…蓋体、１４…電極組立体、２１ｂ…絶縁プレートとしての外側絶縁部材、２１Ｅｆ…端面、２６…金属プレートとしての端子接続部材、２６Ｅｆ…端面、２７…電極端子としての負極端子。
【図１】
2018006106.tif 000003
【図２】
2018006106.tif 000004
【図３】
2018006106.tif 000005
【図４】
2018006106.tif 000006
【図５】
2018006106.tif 000007
【図６】
2018006106.tif 000008
【図７】
2018006106.tif 000009
【図８】
2018006106.tif 000010